(57)【要約】      （修正有）【課題】確実に所望の２次元コードが撮影できる印刷媒体を提供する。【解決手段】２次元コードが印刷された印刷媒体であって、２次元コードの近傍には、照合情報が印刷された印刷媒体であって、カメラ撮影された２次元コードと照合情報とは、同時に画面表示が可能な程度（１ｃｍ以内）に接近して印刷されること、を特徴とする２次元コード印刷媒体である。【選択図】図１
0003129525.tif 000002
【実用新案登録請求の範囲】
【請求項１】
２次元コードが印刷された印刷媒体であって、
２次元コードの近傍には、照合情報が印刷された印刷媒体であって、
カメラ撮影された２次元コードと照合情報とは、同時に画面表示が可能な程度に接近して印刷されること、
を特徴とする２次元コード印刷媒体。
【考案の詳細な説明】
【技術分野】
【０００１】
本考案は、２次元コードを正確に撮影することが可能な印刷媒体に関するものである。
【背景技術】
【０００２】
印刷された２次元コードを用いることで、印刷媒体に印刷されていない情報（たとえば、より詳細な情報）を、容易に、取得することができる。
【０００３】
たとえば、特許文献１には、画像データベースから、画像データを選択するために、見本画像と２次元コードとを対応付けた一覧表を作成する技術が開示されている。（従来技術１）
また、特許文献２には、２次元コードを用いて、携帯電話から、著作権を有するコンテンツを、利用する技術が開示されている。（従来技術２）
【特許文献１】特開２００６−９２１２７号公報（１４、〜１５ページ、図９、１１）
【特許文献２】特開２００４−２４６８８３号公報（１４〜１６、２０〜２２ページ、図１，３）
【考案の開示】
【考案が解決しようとする課題】
【０００４】
ところが、従来技術１や従来技術２においては、読み取らせた２次元コードが、所望の２次元コードであるかどうかを、確認できなかった。
【０００５】
解決しようとする問題点は、本来撮影すべき２次元コードと勘違いして、隣接する異なる２次元コード（本来撮影すべきでない２次元コード）を撮影しても、その誤りに、気付かない点である。
【課題を解決するための手段】
【０００６】
本考案は、２次元コードと照合情報とが同時に撮影できるようにするために、２次元コードと照合情報とを、相互に、近傍に印刷することを最も主要な特徴とする。
【考案の効果】
【０００７】
本考案の２次元コード印刷媒体は、２次元コードと照合情報とが同時に撮影できて、これを表示できるために、照合情報を目視で確認することで、確実に、所望の2次元コードを撮影できるという利点がある。
【考案を実施するための最良の形態】
【０００８】
所望の２次元コードを確実に、撮影するという目的を、２次元コードの近傍に照合情報を印刷することで、容易に実現した。
【実施例１】
【０００９】
図１は、本考案印刷媒体１００の例である。印刷媒体１００は、２次元コード１００ａと、照合情報１００ｂと、が接近して、近傍に配置されている。
【００１０】
図１には、学会発表会プログラムの印刷物１００が、例示されている。印刷物１００には、２次元コード１００ａ（＝ＱＲコード（登録商標））と、照合情報１００ｂと、論文発表番号、発表題目、著者、所属先などの組み合わせが、羅列されて、印刷されている。２次元コード１００ａは、論文の詳細な情報を取り寄せるための問合データが符号化されている。（詳細は、後述する）照合情報１００ｂには、論文発表番号が用いられている。
【００１１】
たとえば、論文発表番号が「1A1-1」、発表題目が「知識検索」、著者が「山田  一郎、・・」、所属先が「人工知能研究所」、照合情報１００ｂが「1A1-1」、である論文が例示されている。
【００１２】
図２は、照合情報と２次元コードが表示された携帯端末装置３００の画面の例である。
図２には、携帯端末装置３００の画面が、例示されている。携帯端末装置３００の画面には、２次元コード３００ａと、照合情報３００ｂ「1A1-1」と、が表示されている。
【００１３】
照合情報３００ｂ「1A1-1」が、表示されるので、撮影した２次元コード３００ａが、所望のものであることを、目視できる。
【００１４】
図３は、２次元コードを利用した大会プログラム詳細情報提供システム１の全体構成図である。大会プログラム詳細情報提供システム１は、印刷媒体１００と、携帯端末装置３００と、詳細情報サーバ装置５００と、から構成されている。
【００１５】
印刷媒体１００は、２次元コード３００ａと、照合情報３００ｂと、を備える。携帯端末装置３００は、問合データ３９１を保持する。詳細情報サーバ装置５００は、説明データ５９１を記憶する。
【００１６】
説明データ５９１は、問合データ３９１に対応させたデータである。
【００１７】
図４は、２次元コードを利用した大会プログラム詳細情報提供システム１の大まかな処理の流れである。
【００１８】
携帯電話３００ は、印刷媒体１００の２次元コードを撮影する（図４（１)）。携帯電話３００ は、表示画面に表示された照合情報を用いて、撮影された２次元コードが正しいことが確認されることによって、復号指示が入力されたらば、これを受け付ける（同（２）)。携帯電話３００ は、 ２次元コードに埋め込まれた問合データ３９１を復号する（同（３）)。
【００１９】
携帯電話３００ は、復号された問合データ３９１を送信する（同（４))。詳細情報サーバ装置は、問合データ３９１を受信して、説明データ５９１を参照して、問合データ３９１に対応する説明データ５９１を選択する（同（１１）)。
【００２０】
詳細情報サーバ装置は、選択された説明データ５９１を送信する（同（１２）)。携帯電話３００ は、説明データ５９１を受信して、表示する（同（２１）)。
【００２１】
このような２次元コード印刷媒体を採用したので、確実に、所望の２次元コードを撮影できて、２次元コードの撮影のやり直し作業を撲滅できる。従って、２次元コード利用者の作業効率が向上する。
【産業上の利用可能性】
【００２２】
本考案の２次元コード印刷媒体は、２次元コードと照合情報とを同時に撮影表示して、照合情報を目視で確認することで、確実に、所望の２次元コードを撮影できることによって、２次元コードを用いて、詳細な情報を取得する用途にも適用できる。
【図面の簡単な説明】
【００２３】
【図１】照合情報つき２次元コードを掲載した印刷媒体の例
【図２】照合情報と２次元コードが表示された携帯端末装置の画面の例
【図３】２次元コードを利用した大会プログラム詳細情報提供システム１の全体構成図
【図４】２次元コードを利用した大会プログラム詳細情報提供システム１の大まかな処理の流れ
【符号の説明】
【００２４】
１    大会プログラム詳細情報提供システム
１００    印刷媒体
１００ａ    ２次元コード
１００ｂ    照合情報
３００    携帯端末装置
３００ｂ    照合情報
３００ａ    ２次元コード
３９１    問合データ
５００    詳細情報サーバ装置
５９１    説明データ
【図１】
0003129525.tif 000003
【図２】
0003129525.tif 000004
【図３】
0003129525.tif 000005
【図４】
0003129525.tif 000006
【手続補正書】
【提出日】平成18年11月9日(2006.11.9)
【手続補正１】
【補正対象書類名】実用新案登録請求の範囲
【補正対象項目名】全文
【補正方法】変更
【補正の内容】
【実用新案登録請求の範囲】
【請求項１】
所望の２次元コードを誤りなく撮影させることを目的とする印刷媒体であって、
前記印刷媒体は、２次元コードと、それに対応付けられる照合情報とを備えて、
前記２次元コードとそれに対応付けられる照合情報とは、カメラがこれを同時に撮影して撮影表示画面に表示可能な程度に、接近させて収めたことを特徴とする印刷媒体。
【手続補正書】
【提出日】平成18年12月8日(2006.12.8)
【手続補正１】
【補正対象書類名】実用新案登録請求の範囲
【補正対象項目名】全文
【補正方法】変更
【補正の内容】
【実用新案登録請求の範囲】
【請求項１】
所望の２次元コードを誤りなく撮影させることを目的とする印刷媒体であって、前記印刷媒体は、２次元コードと、それに対応付けられる照合情報とを備えて、前記２次元コードとそれに対応付けられる照合情報との間隔は１センチ以内であり、カメラがこれを同時に撮影して表示画面に表示可能な程度に接近させて収めたことを特徴とする印刷媒体。